(57)【要約】【課題】セル内に異物が侵入することを抑制しつつ、スクリーンの美観を維持することができる遮蔽材を提供することを課題とする。【解決手段】本発明に係る遮蔽装置１は、両端が開口する筒状のセル１１を上下方向に複数配列して成る伸縮可能なスクリーン１０と、各セル１１の端部に配置されてセル１１の開口１１ｂを閉塞する複数の閉塞部２１と、を備え、セル１１は、断面視六角形状を呈し、閉塞部２１は、略六角形状を呈し、セル１１内に配置されセル１１内への侵入を抑制する壁部２２を備えることを特徴とする。【選択図】図３
2019065580.tif 000002
【特許請求の範囲】
【請求項１】
両端が開口する筒状のセルを上下方向に複数配列して成る伸縮可能なスクリーンと、
前記各セルの端部に配置されて前記セルの開口を閉塞する複数の閉塞部と、を備え、
前記セルは、断面視六角形状を呈し、
前記閉塞部は、略六角形状を呈し、前記セル内に配置され前記セル内への侵入を抑制する壁部を備えることを特徴とする遮蔽装置。
【請求項２】
前記壁部は、前記スクリーンが収縮した状態で屈曲し、かつ、前記セルの両端よりも外側に突出していないことを特徴とする請求項１に記載の遮蔽装置。
【請求項３】
前記閉塞部は、前記壁部の上部から延出し前記セルの内面に固定される上側固定部と、前記壁部の下部から延出し前記セルの内面に固定される下側固定部と、を備えていることを特徴とする請求項１又は請求項２に記載の遮蔽装置。
【請求項４】
前記各閉塞部の前記上側固定部は、上方に隣り合う前記閉塞部の前記下側固定部と連続し、前記各閉塞部が一体に形成されていることを特徴とする請求項３に記載の遮蔽装置。
【請求項５】
両端が開口する筒状のセルを上下方向に複数配列して成る伸縮可能なスクリーンにおいて、前記各セルには、前記セルの端部を前記セルの開口内に向って折り曲げて成る閉塞部が設けられていることを特徴とする遮蔽装置。
【請求項６】
前記セルは、断面視六角形状に形成されて六つの面を有し、
前記六つの面の少なくても一つには、端辺から延出する延出片が形成され、
前記延出片を折り曲げることで前記閉塞部が構成されていることを特徴とする請求項５に記載の遮蔽装置。
【請求項７】
前記延出片は、前記セルの端部に切り込みを入れることで形成されていることを特徴とする請求項６に記載の遮蔽装置。
【請求項８】
両端が開口する筒状のセルを上下方向に複数配列して成る伸縮可能なスクリーンと、
前記各セルの端部に配置されて前記セルの開口を閉塞する閉塞部材と、を備え、
前記閉塞部材は、前記各セルの両端部を上下方向に貫通するコードと、
前記コードから各セル内に延出して前記セル内への侵入を抑制する繊維群と、を備えることを特徴とする遮蔽装置。
【請求項９】
前記コード及び前記繊維群は、前記スクリーンが収縮した状態で、前記セルの両端よりも外側に突出していないことを特徴とする請求項８に記載の遮蔽装置。
【請求項１０】
前記コードは、昇降コードよりも前記セルの幅方向外側に位置していることを特徴とする請求項８又は請求項９に記載の遮蔽装置。
【発明の詳細な説明】
【技術分野】
【０００１】
本発明は、遮蔽装置に関する。
【背景技術】
【０００２】
遮蔽装置は、遮蔽材により遮光したり、或いは室外から室内を視認されることを防止したりしている。このような遮蔽材の一つとして、筒状のセルが上下方向に複数配列して成るスクリーンが挙げられる。特にセルが断面視六角形状のハニカムスクリーンが一般に広く知られている。
また、スクリーンにおいてセルの両端が開口しており、セル内に異物が侵入する可能性がある。よって、下記特許文献では、セルの両端の開口にプリーツ状テープを嵌め合わせ、セルの開口を閉塞している。
【先行技術文献】
【特許文献】
【０００３】
【特許文献１】特許第３２５６０２２号
【発明の概要】
【発明が解決しようとする課題】
【０００４】
ところで、上記したプリーツ状テープは、矩形状を呈し、セルの断面形状と一致していない。つまり、プリーツ状テープの一部がセルの端部から室内側及び窓側に突出し、スクリーンの美観が損なわれた。
【０００５】
そこで、本発明は、前記する背景に鑑みて創案された発明であって、セル内に異物が侵入することを抑制しつつ、スクリーンの美観を維持することができる遮蔽装置を提供することを課題とする。
【課題を解決するための手段】
【０００６】
前記課題を解決するため、本発明の第１局面による遮蔽装置は、両端が開口する筒状のセルを上下方向に複数配列して成る伸縮可能なスクリーンと、前記各セルの端部に配置されて前記セルの開口を閉塞する複数の閉塞部と、を備え、前記セルは、断面視六角形状を呈し、前記閉塞部は、略六角形状を呈し、前記セル内に配置され前記セル内への侵入を抑制する壁部を備えることを特徴とする。
【０００７】
前記発明によれば、閉塞部の壁部により閉塞され、セル内に異物が侵入することが抑制される。また、壁部は、セルの断面形状と同じ略六角形状であるため、セル内に配置できる。また、セル内に配置された壁部は、従来技術のようにセルの端部から室内側又は窓側に突出していない。よって、スクリーンの美観が維持される。
【０００８】
前記発明において、前記壁部は、前記スクリーンが収縮した状態で屈曲し、かつ、前記セルの両端よりも外側に突出していないことが好ましい。
【０００９】
前記構成によれば、スクリーンが収縮しセルが折り畳まれた際、セルの両端から壁部が幅方向外側に突出しないため、スクリーンの美観が維持される。
【００１０】
前記発明において、前記閉塞部は、前記壁部の上部から延出し前記セルの内面に固定される上側固定部と、前記壁部の下部から延出し前記セルの内面に固定される下側固定部と、を備えていることが好ましい。
【００１１】
前記構成によれば、セルは壁部の上下方向の長さ以上に伸長しない。よって、スクリーンの伸長時にセルの形状が一定に保持され、スクリーンの美観が維持される。
【００１２】
前記発明において、前記各閉塞部の前記上側固定部は、上方に隣り合う前記閉塞部の前記下側固定部と連続し、前記各閉塞部が一体に形成されていることが好ましい。
【００１３】
前記構成によれば、各閉塞部が一体化され、部品点数の削減を図れる。
【００１４】
本発明の第２局面による遮蔽装置は、両端が開口する筒状のセルを上下方向に複数配列して成る伸縮可能なスクリーンにおいて、前記各セルには、前記セルの端部を前記セルの開口内に向って折り曲げて成る閉塞部が設けられていることを特徴とする。
【００１５】
前記発明によれば、閉塞部により閉塞され、セル内に異物が侵入することが抑制される。また、閉塞部は、セル内の開口内に向って折り曲げられており、従来技術のようにセルの端部から室内側又は窓側に突出していない。よって、スクリーンの美観が維持される。さらに、閉塞部を別途準備する必要がなく、部品点数の削減を図れる。
【００１６】
前記発明において、前記セルは、断面視六角形状に形成されて六つの面を有し、前記六つの面の少なくても一つには、端辺から延出する延出片が形成され、前記延出片を折り曲げることで前記閉塞部が構成されていてもよい。
【００１７】
前記発明において、前記延出片は、前記セルの端部に切り込みを入れることで形成されてもよい。
【００１８】
本発明の第３局面による遮蔽装置は、両端が開口する筒状のセルを上下方向に複数配列して成る伸縮可能なスクリーンと、前記各セルの端部に配置されて前記セルの開口を閉塞する閉塞部材と、を備え、前記閉塞部材は、前記各セルの両端部を上下方向に貫通するコードと、前記コードから各セル内に延出して前記セル内への侵入を抑制する繊維群と、を備えることを特徴とする。
【００１９】
前記発明によれば、繊維群により閉塞され、セル内に異物が侵入することが抑制される。また、閉塞部材は、セル内に位置しており、従来技術のようにセルの端部から室内側又は窓側に突出していない。よって、スクリーンの美観が維持される。
【００２０】
前記発明において、前記コード及び前記繊維群は、前記スクリーンが収縮した状態で、前記セルの両端よりも外側に突出していないことが好ましい。
【００２１】
前記構成によれば、スクリーンが収縮しセルが折り畳まれた際、コード及び繊維群がセルの両端から幅方向外側に突出しないため、スクリーンの美観が維持される。
【００２２】
前記発明において、前記コードは、昇降コードよりも前記セルの幅方向外側に位置していてもよい。
【発明の効果】
【００２３】
本発明によれば、セル内に異物が侵入することを抑制しつつ、スクリーンの美観が維持される遮蔽装置を提供することができる。
【図面の簡単な説明】
【００２４】
【図１】第１実施形態の遮蔽装置を室内側から視た正面図である。
【図２】第１実施形態の遮蔽装置を右側から右側面図である。
【図３】第１実施形態のハニカムスクリーンの表面側の一部を切り欠き、その切欠いた部分を拡大した拡大正面図である。
【図４】第１実施形態のハニカムスクリーンを右側から視た側面図を拡大した拡大右側面図である。
【図５】第１実施形態において収縮した状態のハニカムスクリーンの表面側の一部を切り欠き、その切欠いた部分を拡大した拡大正面図である。
【図６】第１実施形態においてハニカムスクリーンに閉塞部材を取り付ける前の状態を室内側から視た斜視図である。
【図７】第２実施形態のハニカムスクリーンの一部を右正面側の上方から視た斜視図である。
【図８】（ａ）は４つの延出片を外側に折り曲げた状態を右方から視た右側面図であり、（ｂ）は４つの延出片をセルの開口内に折り曲げる前の状態を前から視た正面図である。
【図９】（ａ）は第２実施形態のセルを右側から視た右側面図であり、（ｂ）はセルが折り畳まれ始めた状態を示す右側面図であり、（ｃ）はセルが折り畳まれた状態を示す右側面図である。
【図１０】第３実施形態の遮蔽装置を右側から右側面図である。
【図１１】第３実施形態のハニカムスクリーンの表面側の一部を切り欠き、その切欠いた部分を拡大した拡大正面図である。
【図１２】第３実施形態において収縮した状態のハニカムスクリーンの表面側の一部を切り欠き、その切欠いた部分を拡大した拡大正面図である。
【発明を実施するための形態】
【００２５】
つぎに本発明の各実施形態について図面を参照しながら説明する。
【００２６】
（第１実施形態）
図１に示すように、遮蔽装置１は、ヘッドボックス２と、ヘッドボックス２の下方に配置された遮蔽材３と、遮蔽材３の下方に配置されたボトムレール４と、ヘッドボックス２から吊り下げられた昇降コード５と、遮蔽材３の伸縮を操作するための操作コード６と、遮蔽材３の左右の両端側に配置された閉塞部材２０（図２、図３参照）と、を備えている。
【００２７】
なお、以下の説明において、室内側から遮蔽装置１を見て右手側を右側と称し、左手側を左側と称する。前後方向に関し、遮蔽装置１を基準として、室内側を前側（又は表側）と称し、室外側を後側（又は裏側）と称する。
【００２８】
図２，図３に示すように、遮蔽材３は、セル１１を上下方向に複数配列して成る伸縮可能なハニカムスクリーン（スクリーン）１０である。
【００２９】
図３に示すように、セル１１は、筒状部材であり、両端１１ａに開口１１ｂを有している。図４に示すように、セル１１は、断面視で六角形状に形成されている。
各セル１１の上面１２は、上方に配置されたセル１１の下面１３と重ね合わせられ、図示しない接着剤により接着している。
セル１１の表側には、幅方向に延在する稜線１４が形成されている。セル１１の表面は、稜線１４よりも上方に位置する上表面１５と、稜線１４よりも下方に位置する下表面１６と、により構成されている。
セル１１の裏側には、幅方向に延在する稜線１７が形成されている。セル１１の裏面は、稜線１７よりも上方に位置する上裏面１８と、稜線１７よりも下方に位置する下裏面１９と、により構成されている。
【００３０】
図１に示すように、ボトムレール４は、ハニカムスクリーン１０の下端部に取り付けられ、左右方向に延在する金属製または樹脂製の部材である。ボトムレール４は、ハニカムスクリーン１０を伸長させるとともに、ハニカムスクリーン１０が伸長した状態を保持するための錘の役割を有している。
【００３１】
特に図示しないが、昇降コード５の上端側は、ヘッドボックス２内の巻取軸に掛装されている。そして、図２に示すように、昇降コード５は、ヘッドボックス２から垂れ下がり、セル１１の上面１２及び下面１３に形成された挿通孔（不図示）に挿通され各セル１１を貫通している。また、昇降コード５の下端はボトムレール４に連結している。
【００３２】
操作コード６は、無端状のボールチェーンであり、ヘッドボックス２内の図示しない駆動軸に掛装されている。
操作コード６の下方に大きく引くと（図２の矢印参照）、駆動軸が回転（駆動）する。そして、駆動軸の駆動力が巻取軸に伝達して昇降コード５が巻取軸に巻き取られ、ボトムレール４が上昇する。これにより、複数のセル１１，１１，・・・のうち下方に配置されたセル１１から順に、折り畳まれた状態でボトムレール４の上面に積み重ねられ、ボトムレール４とともに上昇する。
なお、操作コード６を下方に少し引くと、図示しないストッパが解除状態となり、自重によりボトムレール４が下降し、各セル１１が展開するようになる。
【００３３】
図３に示すように、閉塞部材２０は、各セル１１の両端部に配置される複数の閉塞部２１を備えている。
閉塞部２１は、セル１１内に設けられた壁部２２と、壁部２２の上部から延出しセル１１の上面１２に固定される上側固定部２３と、壁部２２の下部から延出しセル１１の下面１３に固定される下側固定部２４と、を備えている。
【００３４】
図４に示すように、壁部２２は、側面視で六角形状を呈している。つまり、壁部２２は、セル１１の内周面と同一形状となっている。このため、図３に示すように、セル１１の両端１１ａは壁部２２により閉塞され、セル１１の内部に異物が侵入することを抑制できる。なお、壁部２２は、セル１１内に位置し、セル１１の端１１ａから室内側又は窓側に突出していない。よって、スクリーンの美観が維持されている。
【００３５】
図３に示すように、壁部２２の上下方向の長さがＬに設定されている。また、上側固定部２３及び下側固定部２４は、接着剤によりセル１１の上面１２や下面１３の内側に接着されている。
以上から、セル１１が展開した場合、セル１１の上下方向の長さ（ピッチ）が壁部２２の長さＬ以上とならないように規制される。つまり、ハニカムスクリーン１０の伸長時、各セル１１のピッチがＬに保持され、各セル１１の形状が統一される。このため、各セル１１の稜線１４，１７が等間隔で配置され、ハニカムスクリーン１０から美観が生じる。
【００３６】
図４に示すように、壁部２２の上下方向中央には、前後方向に延びる折れ線２２ａが設けられている。このため、図５に示すように、ハニカムスクリーン１０が収縮してセル１１が折り畳まれると、壁部２２は、セル１１の上面１２と下面１３から圧縮するような荷重を受けて屈曲する。
なお、折れ線２２ａは、稜線１４，１７と高さ方向で一致している。
【００３７】
図５に示すように、壁部２２は、幅方向外側に突出するように屈曲するようになっている。また、壁部２２の上下方向の長さがＬとなっているため、折れ線２２ａを境に壁部２２が屈曲した場合、壁部２２の幅方向外側への突出量は、Ｌ／２となる。
【００３８】
図３に示すように、セル１１の端１１ａと壁部２２との離間距離はＭに設定されている。そして、離間距離Ｍは、壁部２２の突出量（Ｌ／２）以上に設定されている。よって、壁部２２が屈曲した場合、壁部２２において最も幅方向外側に位置する部位（折れ線２２ａ）は、常時、セル１１の端１１ａよりも幅方向内側に位置している。
以上から、壁部２２はセル１１の端１１ａよりも外側に突出（露出）せず、ハニカムスクリーン１０の美観が維持される。また、壁部２２がセル１１の端１１ａよりも外側に突出しないため、セル１１の端１１ａと図示しない窓枠との間に隙間を形成することなくハニカムスクリーン１０を設置でき、遮光性が向上する。
なお、本実施形態において、壁部２２が屈曲した場合、幅方向外側に突出するようになっているが、幅方向内側に突出するようにしてもよい。
【００３９】
図３に示すように、上側固定部２３及び下側固定部２４は、壁部２２の上端又は下端からセル１１の端１１ａまで延出している。そして、上側固定部２３は、上方に隣り合う閉塞部２１の下側固定部２４と連続している。
つまり、本実施形態の閉塞部材２０は、図６に示すように、上下方向に長い一枚の素材を複数折り返すことで各閉塞部２１が上下方向に連続して形成されており、各閉塞部２１が一体となっている。
よって、本実施形態の閉塞部材２０は、各閉塞部２１が分離している場合よりも部品点数が削減している。また、連続する上側固定部２３と下側固定部２４とが各セル１１の接着面（上面１２と下面１３）を挟持しているため、セル１１同士の接着強度が向上している。
【００４０】
なお、閉塞部材２０のハニカムスクリーン１０への取り付け方法は、最初に、各セル１１の接着面（上面１２と下面１３）に接着材を塗布する。次に、図６に示すように、閉塞部材２０をハニカムスクリーン１０の左右方向外側に配置する。そして、各壁部２２をハニカムスクリーン１０の開口１１ｂ内に挿入する（図６の矢印参照）。これにより、閉塞部材２０の上側固定部２３と下側固定部２４とが各セル１１の接着面（上面１２と下面１３）を挟み込むような形で接着され、閉塞部材２０がハニカムスクリーン１０の両端側に固定される。
【００４１】
以上、第１実施形態について説明した。つぎに第２実施形態について説明する。なお、第１実施形態の閉塞部材（閉塞部）はセルと別部材を用いていたが、第２実施形態の閉塞部はセルの端部をセルの開口内に向って折り曲げることで構成されている点で相違する。
以下、相違点に絞って第２実施形態を説明する。
【００４２】
（第２実施形態）
第２実施形態の閉塞部材３０は、複数の閉塞部３１を備えている。
図７に示すように、閉塞部３１の壁部３２は、セル１１の開口１１ｂの前側部分を閉塞する前壁部３３と、セル１１の開口１１ｂの後側部分を閉塞する後壁部３４と、を備えている。この壁部３２（前壁部３３、後壁部３４）は、セル１１の端１１ａから延出する４つの延出片４０により構成される。
【００４３】
４つの延出片４０は、セル１１の上表面１５の端辺１５ａから延出する上表側延出片４１と、下表面１６の端辺１６ａから延出する下表側延出片４２と、上裏面１８の端辺１８ａから延出する上裏側延出片４３と、下裏面１９の端辺１９ａから延出する下裏側延出片４４と、を備えており、それぞれ三角形状を呈している。
【００４４】
図８（ａ）は、４つの延出片４０を理解し易くするため、４つの延出片４０のそれぞれを外側に折り曲げた状態を示す図である。図８（ｂ）は、セル１１の端部を切り欠いて４つの延出片４０を形成した時点（折り曲げる前の状態）を前から視た正面図である。
なお、これらの４つの延出片４０の製造方法は、まず、セル１１の端１１ａに６つの切り込みを入れる。この切り込みは、セル１１を構成する６つの面（上面１２、下面１３、上表面１５、下表面１６、上裏面１８及び下裏面１９）の境界線（折れ線）に沿った切り込みである。これにより、セル１１には、６つの矩形状の片が形成される。
つぎに、上面１２と下面１３とから延出する２つの矩形状の片を切り取る（図８（ａ）の一点鎖線Ｎ１を参照）とともに、残りの４つ矩形状の片を対角線上に切り欠く（図８（ａ）の一点鎖線Ｎ２を参照）。これにより、セル１１の端１１ａから幅方向外側に延出する三角形状の延出片４０が４つ形成される。
つぎに、４つの延出片４０のそれぞれをセル１１の開口１１ｂ内に向って折り曲げることで、図９（ａ）に示すように、壁部３２を構成する延出片４０が形成される。
上記したように、閉塞部３１（壁部３２）を構成する延出片４０は、セル１１の端部をセル１１の開口１１ｂ内に折り曲げて成るため、セル１１の端１１ａから室内側又は窓側に突出する部分を有しておらず、ハニカムスクリーン１０の美観が維持されるようになっている。
なお、延出片４０の製造方法について説明したが、本発明は上記した順番に限定されない。
つぎに、セル１１の開口１１ｂ内に折り曲げられて壁部３２を構成する４つの延出片４０（上表側延出片４１、下表側延出片４２、上裏側延出片４３、及び下裏側延出片４４）の詳細を説明する。
【００４５】
図９（ａ）に示すように、上表側延出片４１は、上表面１５の端辺１５ａを底辺とする三角形状の片であり、先端が稜線１４を超えて下方に延出している。
よって、上表側延出片４１の基部４１ａは、セル１１の開口１１ｂの上部の前寄りを閉塞している。また、上表側延出片４１の先部４１ｂは、下表側延出片４２の幅方向外側に位置し、下表側延出片４２と重なっている。
【００４６】
下表側延出片４２は、下表面１６の端辺１６ａを底辺とする三角形状の片であり、先端が後方に延出している。よって、下表側延出片４２の基部４２ａは、セル１１の開口１１ｂの下部の前寄りを閉塞している。
以上から、セル１１の開口１１ｂの前側部分を閉塞する前壁部３３は、上表側延出片４１と下表側延出片４２により構成されている。
【００４７】
下裏側延出片４４は、上裏面１８の端辺１８ａを底辺とする三角形状の片であり、先端が前方に延出している。よって、上裏側延出片４３の基部４３ａは、セル１１の開口１１ｂの上部の後寄りを閉塞している。
【００４８】
下裏側延出片４４は、下裏面１９の端辺１９ａを底辺とする三角形状の片であり、先端が稜線１７を超えて上方に延出している。よって、下裏側延出片４４の基部４４ａは、セル１１の開口１１ｂの下部の後寄りを閉塞している。
また、下裏側延出片４４の先部４４ｂは、上裏側延出片４３の基部４３ａの幅方向内側に位置し、上裏側延出片４３と重なっている。
以上から、セル１１の開口１１ｂの後側部分を閉塞する後壁部３４は、上裏側延出片４３と下裏側延出片４４により構成されている。
【００４９】
また、下表側延出片４２の基部４２ａは、接着剤により上表側延出片４１の先部４１ｂと接着している。よって、前壁部３３を構成する上表側延出片４１と下表側延出片４２とが上下方向に分離しないため、前壁部３３の上下方向の長さが一定となっている。
上裏側延出片４３の基部４３ａは、接着剤により下裏側延出片４４の先部４４ｂと接着している。よって、後壁部３４を構成する上裏側延出片４３と下裏側延出片４４とが上下方向に分離しないため、後壁部３４の上下方向の長さが一定となっている。
以上から、セル１１の展開時においてセル１１の上下方向の長さ（ピッチ）が壁部３２（前壁部３３、後壁部３４）の長さＬ以上とならないように規制されている。このため、ハニカムスクリーン１０の伸長時、各セル１１のピッチがＬに保持されるように、ハニカムスクリーン１０から美観が生じる。
【００５０】
下表側延出片４２の先部４２ｂは、後方へ延出し、下裏側延出片４４の内側に係止している。このため、前壁部３３の下部が後方へ拡張しており、セル１１の開口１１ｂの中央の下寄りを閉塞している。
上裏側延出片４３の先部４３ｂは、前方へ延出し、上表側延出片４１の内側に係止している。このため、後壁部の上部は、前方へ拡張し、セル１１の開口の中央の上寄りを閉塞している。以上から、開口１１ｂが狭くなり、セル１１内に異物が侵入し難い。
【００５１】
また、本実施形態では、壁部３２は、開口１１ｂの全部を閉塞しておらず、セル１１の上面１２の下方と下面１３の上方に隙間Ｓが形成されている。
この隙間Ｓは、セル１１が折り畳まれる際にセル１１内の空気を抜いたり、又はセル１１を展開する際にセル１１内に空気を導入したりするための通気孔の役割を果たしている。よって、この隙間Ｓにより、セル１１の折り畳み又は展開、言い換えるとハニカムスクリーン１０の伸縮がスムーズになっている。
【００５２】
上表側延出片４１と下裏側延出片４４との高さ方向中央には、折れ線４１ｃ、４４ｃが形成されている。よって、セル１１が折り畳まれる場合、図９（ｂ）に示すように、前壁部３３及び後壁部３４は、折れ線４１ｃ、４４ｃを境に屈曲し、図９（ｃ）に示すように、２つ折り状態となる。
【００５３】
前壁部３３及び後壁部３４は、幅方向内側に突出するように屈曲する。このため、前壁部３３及び後壁部３４はセル１１の端よりも外側に突出しない。よって、ハニカムスクリーン１０の美観が維持される。
また、下表側延出片４２の２辺のうち上側にある上辺４２ｃと、上裏側延出片４３の２辺のうち下側にある下辺４３ｃとは、折れ線４１ｃ、４３ｃと重なっている。このため、セル１１の折り畳み時において、前壁部３３及び後壁部３４は、折れ線４１ｃ、４４ｃを境に確実に屈曲する。
【００５４】
以上、第２実施形態について説明した。つぎに第３実施形態について説明する。なお、第３実施形態の遮蔽装置は、閉塞部材２０に代えて閉塞部材５０を用いている点が相違する。以下、第３実施形態の説明では、第１実施形態との相違点に絞って説明する。
【００５５】
（第３実施形態）
図１０、図１１に示すように、ハニカムスクリーン１０の左右両側に配置された閉塞部材５０は、各セル１１の両端部を上下方向に貫通するコード５１と、コード５１から各セル１１内に延出して内側への侵入を抑制する繊維群５２と、を備えている。
【００５６】
コード５１は、上端がヘッドボックス２内に固定され、ヘッドボックス２から垂れ下がっている。また、図１１に示すように、コード５１は、各セル１１の上面１２及び下面１３に形成された挿通孔５３内に挿通され、セル１１内を延在している。なお、特に図示しないが、コード５１は、昇降コード５よりも幅方向外側に位置している。
【００５７】
繊維群５２は、鉛直方向に延在するコード５１から水平方向かつ放射状に延出する複数の繊維により構成されている。
また、繊維群は、コード５１の長さ方向に隙間なく設けられ、異物がセル１１内に侵入することを抑制している。なお、繊維の種類は特に限定されず、天然繊維（植物繊維、動物繊維（例えばモヘア））又は化学繊維であってもよい。
【００５８】
繊維群５２は、コード５１から延出量（長さ）が統一されている。また、その繊維の延出量は、図１０に示すように、繊維群５２が占める前後方向の幅がセル１１の上面１２及び下面１３の前後方向の幅と同じになる程度の長さに形成されている。このため、繊維群５２の前後には、側面視三角形状の隙間Ｐが形成されている。
なお、本実施形態において、繊維群５２とセル１１の内周面との間に隙間Ｐが形成されているが、本発明はこれに限定されない。たとえば、コード５１の長さ方向で繊維の長さを変えて、繊維群５２がセル１１内の全てを閉塞し、セル１１内に隙間Ｐが生じないようにしてもよい。
【００５９】
図１１に示すように、繊維群５２は、ハニカムスクリーン１０が伸長しセル１１が展開している場合、セル１１の端１１ａよりも内側に位置している。このため、閉塞部材５０は、セル１１の端１１ａから室内側又は窓側に突出しておらず、ハニカムスクリーン１０の美観が維持されている。
【００６０】
図１２に示すように、閉塞部材５０は、ハニカムスクリーン１０が収縮しセル１１が折り畳まれた場合、セル１１の端１１ａよりも外側に突出しないように設定されている。
具体的には、コード５１が幅方向外側に屈曲し、その屈曲部分５１ａにある繊維群５２の一部が幅方向外側に向って延出している場合であっても、その繊維群５２がセル１１の端１１ａに到達しないように設計されている。よって、閉塞部材５０がセル１１の端１１ａから突出（露出）しないため、ハニカムスクリーン１０の美観が維持される。
【符号の説明】
【００６１】
１      遮蔽装置
２      ヘッドボックス
３      遮蔽材
４      ボトムレール
５      昇降コード
６      操作コード
１０    ハニカムスクリーン
１１    セル
１１ａ  端
１１ｂ  開口
１２    上面
１３    下面
１４，１７  稜線
１５    上表面
１６    下表面
１８    上裏面
１９    下裏面
２０，３０，５０  閉塞部材
２１，３１  閉塞部
２２，３２  壁部
２３    上側固定部
２４    下側固定部
３３    前壁部
３４    後壁部
４０    延出片
４１    上表側延出片
４２    下表側延出片
４３    上裏側延出片
４４    下裏側延出片
５１    コード
５２    繊維群
【図１】
2019065580.tif 000003
【図２】
2019065580.tif 000004
【図３】
2019065580.tif 000005
【図４】
2019065580.tif 000006
【図５】
2019065580.tif 000007
【図６】
2019065580.tif 000008
【図７】
2019065580.tif 000009
【図８】
2019065580.tif 000010
【図９】
2019065580.tif 000011
【図１０】
2019065580.tif 000012
【図１１】
2019065580.tif 000013
【図１２】
2019065580.tif 000014